【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】
磁気記録膜の磁気情報によってデータを保持する磁気ディスクと、
前記磁気ディスクを局所的に加熱する加熱素子と該加熱素子が加熱する領域に電気信号によって変調された磁界を印加する記録素子と前記磁気ディスクの磁気情報を電気信号に変換する再生素子とを搭載したスライダを有する磁気ヘッドと、
前記磁気ヘッドを前記磁気ディスクの半径方向に円弧状に移動させるアクチュエータと、
前記加熱素子が加熱する領域の位置と前記記録素子の位置を前記スライダの幅方向に相対的に移動させるオフセット機構とを備え、
前記記録素子は前記スライダに固定され、前記オフセット機構は前記加熱素子が加熱する領域をスライダの幅方向に移動させる加熱領域オフセット機構であることを特徴とする磁気ディスク装置。
【請求項２】
磁気記録膜の磁気情報によってデータを保持する磁気ディスクと、
前記磁気ディスクを局所的に加熱する加熱素子と該加熱素子が加熱する領域に電気信号によって変調された磁界を印加する記録素子と前記磁気ディスクの磁気情報を電気信号に変換する再生素子とを搭載したスライダを有する磁気ヘッドと、
前記磁気ヘッドを前記磁気ディスクの半径方向に円弧状に移動させるアクチュエータと、
前記加熱素子が加熱する領域の位置と前記記録素子の位置を前記スライダの幅方向に相対的に移動させるオフセット機構とを備え、
前記加熱素子は前記スライダに固定され、前記オフセット機構は前記記録素子をスライダの幅方向に移動させる記録素子オフセット機構であることを特徴とする磁気ディスク装置。
【請求項３】
前記加熱素子が加熱する領域と前記記録素子が同一トラックを通過するよう前記オフセット機構を制御するサーボ回路を備えたことを特徴とする請求項１または請求項２記載の磁気ディスク装置。
【請求項４】
前記サーボ回路は前記磁気ヘッドのヨー角と磁気ディスク内の温度に対応した前記オフセット機構のオフセット量とする電気的出力を発生することを特徴とする請求項３記載の磁気ディスク装置。
【請求項５】
前記オフセット機構は、ボイスコイルモータを有し、前記サーボ回路が前記ボイスコイルモータを駆動して、前記加熱素子が加熱する領域又は前記記録素子をスライダ幅方向に移動させることを特徴とする請求項３記載の磁気ディスク装置。
【請求項６】
前記オフセット機構は、静電容量アクチュエータを有し、前記サーボ回路が前記静電容量アクチュエータを駆動して、前記加熱素子が加熱する領域又は前記記録素子をスライダ幅方向に移動させることを特徴とする請求項３記載の磁気ディスク装置。
【請求項７】
前記オフセット機構は、熱変形素子と該熱変形素子によって変形される弾性部とで構成されており、前記サーボ回路が前記熱変形素子を駆動して、前記加熱素子が加熱する領域又は前記記録素子をスライダ幅方向に移動させることを特徴とする請求項３記載の磁気ディスク装置。
【請求項８】
前記オフセット機構によって移動可能な加熱光源と前記オフセット機構によって移動可能なミラーとを有し、前記サーボ回路が加熱光源とミラー位置をおおむね平行の位置関係を保ちながら移動させて、前記磁気ディスク上の前記加熱素子が加熱する領域の位置をスライダ幅方向に移動させることを特徴とする請求項３記載の磁気ディスク装置。
【請求項９】
前記オフセット機構によって移動可能な加熱光源とオフセット機構によって移動可能なミラーと前記オフセット機構によって移動可能な対物レンズを有し、前記のサーボ回路が加熱光源とミラー位置と対物レンズとをおおむね平行の位置関係を保ちながら移動させて、前記磁気ディスク上の前記加熱素子が加熱する領域の位置をスライダ幅方向に移動させることを特徴とする請求項３記載の磁気ディスク装置。
【請求項１０】
前記サーボ回路から前記オフセット機構との間が、少なくとも２本の駆動線で配線されていることを特徴とする請求項３記載の磁気ディスク装置。
【請求項１１】
前記オフセット機構への出力値と前記加熱素子が加熱する領域又は前記記録素子のスライダ幅方向への移動距離との変換テーブルを備えており、前記サーボ回路は前記変換テーブルを参照して前記磁気ヘッドの前記磁気ディスクにおける半径方向の位置に応じて出力値を決定することを特徴とする請求項３記載の磁気ディスク装置。
【請求項１２】
前記変換テーブルは前記磁気ヘッドの前記磁気ディスクにおける半径方向の位置を変化させながら、各半径位置において前記オフセット機構の出力値を変化させながら書き込みと読み出し処理を行うことによって、変換データを学習して作成されたものであることを特徴とする請求項１１記載の磁気ディスク装置。
【請求項１３】
磁気記録膜の磁化情報によってデータを保持するディスクと、前記磁化情報の書き込みと読み出しを行うヘッドと、前記ヘッドを前記ディスクの半径方向に移動させるためのロータリ型アクチュエータと、前記ヘッドにあって前記ディスクを局所的に加熱するための複数の加熱素子と、前記ヘッドにあって前記ディスクに磁界を印加するための記録素子と、前記複数の加熱素子のうちの少なくともひとつの加熱素子を選択する手段とを有し、前記加熱素子を選択する手段は前記ヘッドと前記ディスクの走行方向との相対角度に応じて、前記加熱素子が加熱する領域と前記記録素子が発生する磁界の位置との走行中心線がおおむね一致するように、前記複数の加熱素子のうちの少なくともひとつの加熱素子を選択することを特徴とする磁気ディスク装置。
【請求項１４】
前記ヘッドに、前記加熱素子を選択する手段が搭載されていることを特徴とする、請求項１３記載の磁気ディスク装置。
【請求項１５】
前記加熱素子を選択する手段は、加熱素子の選択情報をシリアルデータ転送方式を用いて受信する機能を備えていることを特徴とする請求項１４記載の磁気ディスク装置。
【請求項１６】
磁気記録膜の磁化情報によってデータを保持するディスクと、前記磁化情報の書き込みと読み出しを行うヘッドと、前記ヘッドを前記ディスクの半径方向に移動させるためのロータリ型アクチュエータと、前記ヘッドにあって前記ディスクを局所的に加熱するための加熱素子と、前記ヘッドにあって前記ディスクに磁界を印加するための複数の記録素子と、前記複数の記録素子のうちのひとつの記録素子を選択する手段とを有し、前記記録素子を選択する手段は前記ヘッドと前記ディスクの走行方向との相対角度に応じて、前記加熱素子が加熱する領域と前記記録素子が発生する磁界の位置との走行中心線がおおむね一致するように、前記複数の記録素子のうちの少なくともひとつの記録素子を選択することを特徴とする磁気ディスク装置。
【請求項１７】
前記ヘッドに、前記記録素子を選択する手段が搭載されていることを特徴とする、請求項１６記載の磁気ディスク装置。
【請求項１８】
前記記録素子を選択する手段は、記録素子の選択情報をシリアルデータ転送方式を用いて受信する機能を備えていることを特徴とする、請求項１７記載の磁気ディスク装置。
【請求項１９】
磁気記録膜の磁化情報によってデータを保持するディスクと、前記磁化情報の書き込みと読み出しを行うヘッドと、前記ヘッドを前記ディスクの半径方向に移動させるためのロータリ型アクチュエータと、前記ヘッドにあって前記ディスクを局所的に加熱するための加熱素子と、前記ヘッドにあって前記ディスクに磁界を印加するための記録素子と、前記加熱素子の一部の領域を加熱する手段を有し、前記加熱素子の一部の領域を加熱する手段は前記ヘッドと前記ディスクの走行方向との相対角度に応じて、前記加熱素子が加熱する領域と前記記録素子が発生する磁界の位置との走行中心線がおおむね一致するように、前記加熱素子の加熱する領域の位置を変化させることを特徴とする磁気ディスク装置。
【請求項２０】
前記ヘッドに、前記加熱素子の一部の領域を加熱する手段が搭載されていることを特徴とする請求項１９記載の磁気ディスク装置。
【請求項２１】
前記加熱素子の一部の領域を加熱する手段は、加熱する領域の位置情報をシリアルデータ転送方式を用いて受信する機能を備えていることを特徴とする請求項２０記載の磁気ディスク装置。
【手続補正２】
【補正対象書類名】明細書
【補正対象項目名】０００５
【補正方法】変更
【補正の内容】
【０００５】
データの読み出しの際には、ディスク３１が発生する漏洩磁界をヘッド３０の再生素子５４が電気信号に変換する。この電気信号は再生アンプ１４により増幅されて信号処理回路であるデータ復号化器２０に入力されて元のデジタルデータへと復調する。デジタルデータはインターフェース回路１９により外部のホストマシンヘと送られる。ヘッド３０はロータリ型アクチュエータ１３によってディスクの半径方向に自由に移動することができるが、特定のデータトラックの書き込みおよび読み出しを行うためには、目的の半径位置に正確に追従動作（フォロイング）を行わなければならない。この動作を制御するのがサーボ回路１６であり、あらかじめディスク３１に書き込まれたサーボ情報から、ヘッド３０とディスク３１の正確な相対位置を測定して、駆動アンプ１７を経由してロータリ型アクチュエータ１３の動作を制御する。ハードディスクコントローラ（ＨＤＣ）６５はこれらの処理を統括して制御する働きを行う。
【手続補正３】
【補正対象書類名】明細書
【補正対象項目名】００１９
【補正方法】変更
【補正の内容】
【００１９】
図２に本発明の磁気ディスク装置の機能構成例をブロック図で示す。従来のロータリ型アクチュエータを制御する第１のサーボ回路１６と駆動アンプ１７に加えて、加熱素子オフセット機構５もしくは記録素子オフセット機構８３を制御するための第２のサーボ回路２３と駆動アンプ２５、２２と参照テーブル２４を備えている。第２のサーボ回路２３は、ＨＤＣ２１から受け取った目標トラックの数値（ヨー角の大きさに関係する）と環境温度の値に応じた参照テーブル２４の値を読み出し、出力値の演算を行う。第２のサーボ回路２３の出力値は、オフセット機構駆動アンプ２２を経由してヘッド１上のオフセット機構５又は８３に入力され、任意のヨー角において加熱素子４と記録素子３がディスク走行方向に一直線に配置する関係を保つように制御される。このとき同時にＨＤＣ２１は加熱素子用アンプ２５を用いて加熱素子４の駆動も制御する。なお第２のサーボ回路２３のシーク速度にあわせてオフセット機構５又は８３の動作が完了すればよいため、比較的低速の応答となる。このため、後述する学習工程を併用することによりオープンループでの制御も可能である。
【手続補正４】
【補正対象書類名】明細書
【補正対象項目名】００３３
【補正方法】変更
【補正の内容】
【００３３】
本発明の他の実施の形態に関わるヘッドの構成例を図１８に示す。この図はヘッド２７をディスク１２側から観察したものである。この構成例では複数の加熱素子１８３とともに、加熱素子選択器１８４をヘッド２７上に搭載している。加熱素子選択器１８４には、記録・再生動作切り替え信号線と、加熱素子選択信号線が外部から接続されている。さらに、再生素子の出力をバッファして外部に出力する再生信号線と、記録素子の発生する記録磁界を変調する情報を入力する記録信号線と、電源線が接続されている。前の実施の形態のヘッド２６の構成と比較して電源線を必要とする欠点はあるものの、加熱素子１８３と加熱素子駆動アンプとを接続するサスペンション上の信号線の本数が少なくなり、ヘッドやサスペンションの設計が容易となる利点がある。特に、トラック密度を高めるためには加熱位置を精密に制御する必要があり、この目的から多数の加熱素子を配列する場合に本実施例の構成を採用する方が有利である。４個以下など少数の加熱素子しか配列しない構成の際には、本実施例はヘッドの構造をより複雑とするものの、ヘッドにさまざまな機能素子が搭載される技術の流れがある。例えば素子の浮上量を補正するための素子や、ロット番号を記録するためのＲＯＭなどを搭載する際には、本実施例の加熱素子選択器１８４にこれらの素子を制御する機能を搭載すれば、サスペンション上の信号線の本数を減じる効果はより高いものとなる。
【手続補正５】
【補正対象書類名】図面
【補正対象項目名】図９
【補正方法】変更
【補正の内容】
【図９】
2004134051.tif 000001
【手続補正６】
【補正対象書類名】明細書
【補正対象項目名】図２２
【補正方法】変更
【補正の内容】
【図２２】
2004134051.tif 000002